(57)【要約】【課題】長期にわたってスクリーン部を良好に維持することができ、外観にも優れた携帯端末装置を提供すること。【解決手段】第１の筐体と第２の筐体とが閉じられたときの第１の筐体の重ね合わせ面に、第１の筐体の厚さ方向に没する凹部が形成されており、第１の筐体が、凹部の中に配置された表示部と、前記表示部を覆うようにして凹部の枠内に配置されたスクリーン部と、重ね合わせ面のうち、スクリーン部よりも先端側に設けられ、スクリーン部よりも厚さ方向に突出する保護部材とを備え、保護部材に、厚さ方向の内方にオフセットされ、かつ基端部側に延びるフランジ部が設けられ、スクリーン部の基端部側の端部に、凹部のうちの基端部側の枠に当接された突起部が設けられ、スクリーン部が基端部側で片持ち支持されており、スクリーン部の先端部が、フランジ部の基端部側の端部を越えて先端部側に延在していることを特徴とする。【選択図】図１
2009265228.tif 000002
【特許請求の範囲】
【請求項１】
第１の筐体と第２の筐体との互いの基端部が連結部を介して開閉可能に連結された携帯端末装置であって、
前記第１の筐体と前記第２の筐体とが閉じられたときの前記第１の筐体の重ね合わせ面に、前記第１の筐体の厚さ方向に没する凹部が形成されており、
前記第１の筐体が、
前記凹部の中に配置された表示部と、
前記表示部の外方側において前記表示部を覆うようにして前記凹部の枠内に配置されたスクリーン部と、
前記重ね合わせ面のうち、前記スクリーン部よりも先端側に設けられ、前記スクリーン部よりも前記厚さ方向に突出する保護部材とを備え、
前記保護部材に、前記厚さ方向の内方にオフセットされ、かつ前記基端部側に延びるフランジ部が設けられ、
前記スクリーン部の前記基端部側の端部に、前記凹部のうちの前記基端部側の枠に当接された突起部が設けられ、
前記スクリーン部が前記基端部側で片持ち支持されており、前記スクリーン部の先端部が、前記フランジ部の前記基端部側の端部を越えて前記先端部側に延在していることを特徴とする携帯端末装置。
【請求項２】
前記スクリーン部の先端に、基端側に没する切欠が形成されており、
前記切欠に、前記保護部材が配されていることを特徴とする請求項１に記載の携帯端末装置。
【請求項３】
前記突起部が、前記スクリーン部の基端辺のうち、前記第１の筐体の基端部から先端部にわたって延在する方向に交差する方向の両端に設けられていることを特徴とする請求項１又は請求項２に記載の携帯端末装置。
【発明の詳細な説明】
【技術分野】
【０００１】
本発明は、開閉式の携帯端末装置に関する。
【背景技術】
【０００２】
従来、第１の筐体と第２の筐体とが開閉可能に連結された携帯端末装置が利用されている（例えば、特許文献１参照。）。これら携帯端末装置としては、図６及び図７に示すように、第１の筐体１００の重ね合わせ面に液晶などからなる表示部１０１と、この表示部１０１を覆うスクリーン部１０２とが設けられ、第２の筐体の重ね合わせ面にキーボードなどからなる操作部が設けられたものが知られている。スクリーン部１０２は、その外縁部の全長にわたって設けられた両面テープ１０４を介して、第１の筐体１００に取り付けられている。また、第１の筐体１００の重ね合わせ面のうち、スクリーン部１０２よりも先端側に、シリコンゴムパッド１０３が設けられている。このシリコンゴムパッド１０３は、第１の筐体１００と第２の筐体とが互いに閉じられたときに、第１の筐体１００と第２の筐体との互いの重ね合わせ面同士が接触しないようにするためのスペーサとして機能するものである。
ここで、近年では、表示部１０１の薄型化、大型化に伴い、スクリーン部１０２も薄型化、大型化してきている。
【特許文献１】特開２００３−２４１１７０号公報
【発明の開示】
【発明が解決しようとする課題】
【０００３】
しかしながら、上記のような携帯端末装置では、スクリーン部１０２が薄く、大きくなっているために、温度などの環境変化によるスクリーン部１０２の変形量が、筐体の変形量よりも大きくなってしまい、筐体に対してスクリーン部１０２が変形してしまうという問題がある。特に、スクリーン部１０２における変形量を逃がすために、スクリーン部１０２自身が、厚さ方向外方に湾曲してしまう。
また、表示部１０１を大きくしたまま、スクリーン部１０２のみを小さくすれば、表示部１０１の大きさを保ったまま、スクリーン部１０２を変形し難くさせることができるものの、スクリーン部１０２を小さくすると、シリコンゴムパッド１０３とスクリーン部１０２との間にクリアランスＣができてしまうという問題がある。すなわち、第１の筐体１００の先端部には、ねじや電子部品などの各種部品が設置されているため、クリアランスＣが大きくなると、それら各種部品が外方に露出してしまい外観が損なわれてしまう。
【０００４】
本発明は、このような事情に鑑みてなされたものであって、長期にわたってスクリーン部を良好に維持することができ、外観にも優れた携帯端末装置を提供することを目的とする。
【課題を解決するための手段】
【０００５】
上記課題を解決するために、本発明は以下の手段を提供する。
本発明に係る携帯端末装置は、第１の筐体と第２の筐体との互いの基端部が連結部を介して開閉可能に連結された携帯端末装置であって、前記第１の筐体と前記第２の筐体とが閉じられたときの前記第１の筐体の重ね合わせ面に、前記第１の筐体の厚さ方向に没する凹部が形成されており、前記第１の筐体が、前記凹部の中に配置された表示部と、前記表示部の外方側において前記表示部を覆うようにして前記凹部の枠内に配置されたスクリーン部と、前記重ね合わせ面のうち、前記スクリーン部よりも先端側に設けられ、前記スクリーン部よりも前記厚さ方向に突出する保護部材とを備え、前記保護部材に、前記厚さ方向の内方にオフセットされ、かつ前記基端部側に延びるフランジ部が設けられ、前記スクリーン部の前記基端部側の端部に、前記凹部のうちの前記基端部側の枠に当接された突起部が設けられ、前記スクリーン部が前記基端部側で片持ち支持されており、前記スクリーン部の先端部が、前記フランジ部の前記基端部側の端部を越えて前記先端部側に延在していることを特徴とする。
【０００６】
この発明によれば、スクリーン部の突起部が凹部の枠に当接することから、スクリーン部の基端部側の端部と凹部の枠との間にクリアランスが設けられ、そのため、スクリーン部の基端部が膨張しても、その膨張がクリアランスによって許容される。
また、スクリーン部が片持ち支持されていることから、スクリーン部の先端部が膨張しようとしても、その膨張が許容される。
また、スクリーン部が基端部側で片持ち支持されており、スクリーン部の先端部が、フランジ部の基端部側の端部を越えて先端部側に延在していることから、凹部の内方の各種部品が覆われるため、それら各種部品が外方に露出することもない。
以上より、長期にわたってスクリーン部を良好に維持することができ、さらに外観を向上させることができる。
【０００７】
また、本発明に係る携帯端末装置は、前記スクリーン部の先端に、基端側に没する切欠が形成されており、前記切欠に、前記保護部材が配されていることを特徴とする。
【０００８】
この発明によれば、簡易な構成により、第１の筐体と第２の筐体との間のストッパーとしてシリコンゴムパッドを機能させるとともに、スクリーン部の変形を許容することができる。
【０００９】
また、本発明に係る携帯端末装置は、前記突起部が、前記スクリーン部の基端辺のうち、前記第１の筐体の基端部から先端部にわたって延在する方向に交差する方向の両端に設けられていることを特徴とする。
【００１０】
この発明によれば、スクリーン部が変形するときでも、前記交差する方向にバランスを取ることができ、安定状態を保持することができる。
【発明の効果】
【００１１】
本発明によれば、長期にわたってスクリーン部を良好に維持することができ、さらに外観を向上させることができる。
【発明を実施するための最良の形態】
【００１２】
（実施形態１）
以下、本発明の第１の実施形態における携帯端末装置について、図面を参照して説明する。
図１は、本発明に係る携帯端末装置を携帯電話に適用した例を示したものである。
図２は、第１の筐体１０を拡大して示す平面図である。
図１及び図２に示すように、携帯電話１は、直方体形状の第１の筐体１０と、同形状の第２の筐体２０とを備えている。そして、これら第１の筐体１０と第２の筐体２０とが、ヒンジ部（連結部）３０を介して、開閉可能に連結されている。すなわち、第１の筐体１０と第２の筐体２０とは、ヒンジ部３０によって、第１の筐体１０及び第２の筐体２０の短手方向Ｓに延びる軸線Ａを回転中心として回転可能に支持されている。
【００１３】
なお、第１の筐体１０と第２の筐体２０とが閉じられたときに、互いに重ね合わされる面が、重ね合わせ面（内面）１０Ａ，２０Ａとなる。
ヒンジ部３０は、第１の筐体１０及び第２の筐体２０の長手方向Ｌ１，Ｌ２の基端部１０ｂ，２０ｂに設けられている。
【００１４】
第２の筐体２０の重ね合わせ面２０Ａには、メールや通話など使用者からの携帯電話１の各種操作を受け付ける操作部７が設けられている。
一方、第１の筐体１０の重ね合わせ面１０Ａには、厚さ方向に没する長方形状の凹部５が形成されている。凹部５は、第１の筐体１０の基端部１０ｂから先端部１０ａにわたって延ばされている。凹部５内の長手方向の中央には、液晶からなる表示部６が設置されている。また、第１の筐体１０の先端部１０ａには、固定ねじ１１（図５に示す）や電子部品などの各種部品が設けられている。
【００１５】
さらに、凹部５の枠内には、図２及び図３に示すように、枠の全域にわたって延在するスクリーン部２が設けられている。すなわち、スクリーン部２は、表示部６の外方側において表示部６を覆うようにして凹部５の枠内に固定されている。この、スクリーン部２は、例えば透明なアクリル板からなっており、長方形板状に形成されている。また、スクリーン部２の先端辺２ａのうち、短手方向Ｓの両端には、基端側に切り込まれた切欠２ｂが形成されている。これら切欠２ｂは、面取りされてＲ状に湾曲して形成されている。また、スクリーン部２の基端辺２ｃのうち、短手方向Ｓの両端には、基端辺２ｃから長手方向Ｌ１に突出する突起部９が設けられている。突起部９は、ドーム状に緩やかに湾曲して形成されている。これら突起部９は、凹部５の枠のうち、基端部１０ｂ側の縁に当接している。そのため、スクリーン部２の基端辺２ｃと基端部１０ｂ側の縁との間には、クリアランスが設けられている。
なお、基端部１０ｂ側の縁には、スクリーン部２の基端辺２ｃを越えて先端側に向けて取付部（不図示）が延ばされているため、クリアランスから各種電気部品が露出することはない。
【００１６】
また、スクリーン部２の裏面には、図４に示すように、外縁部の全周にわたって延ばされた両面テープ８が設けられている。そして、スクリーン部２は、基端部側に設けられた両面テープ８によって、凹部５内に固定されている。すなわち、スクリーン部２の先端部に設けられた両面テープ８は、図５に示すように、第１の筐体１０や凹部５内の部品などに接触しておらず、基端部側に設けられた両面テープ８のみが第１の筐体１０に当接している。つまり、スクリーン部２は、基端部側に設けられた両面テープ８によって、基端部側において片持ち支持されている。
【００１７】
また、凹部５内のうち、短手方向Ｓの両端には、樹脂からなる一対のシリコンゴムパッド（保護部材）４が設けられている。これらシリコンゴムパッド４は、スクリーン部２の表面から厚さ方向に突出する本体部４ａと、この本体部４ａの基端部から第１の筐体１０の基端部１０ｂ側に延びるフランジ部４ｂとを備えている。
本体部４ａは、スクリーン部２の切欠２ｂ内に配置されている。すなわち、本体部４ａは、切欠２ｂよりも先端側に設けられている。また、本体部４ａは、第１の筐体１０と第２の筐体２０とを閉じたときに、第２の筐体２０の重ね合わせ面２０Ａに当接する。すなわち、本体部４ａは、両筐体１０，２０を閉じたとき、互いの重ね合わせ面１０Ａ，２０Ａが接触しないようにスペーサとして機能する。
【００１８】
フランジ部４ｂは、スクリーン部２に対して、凹部５の内方にオフセットして設けられている。また、フランジ部４ｂは、本体部４ａから切欠２ｂを越えて第１の筐体１０の基端部１０ｂ側に延ばされている。すなわち、スクリーン部２が、フランジ部４ｂに重ね合わされて配置されている。
なお、上述したように、スクリーン部２は片持ち支持されているため、スクリーン部２の先端部と、フランジ部４ｂとは接触しておらず、これらスクリーン部２の先端部とフランジ部４ｂとの間には、クリアランスＣ１が設けられている。また、スクリーン部２の長手寸法は、凹部５の長手寸法よりも小さくなっており、スクリーン部２の切欠２ｂと本体部４ａとの間にはクリアランスＣ２が設けられている。さらに、スクリーン部２の先端辺２ａと凹部５の先端側の縁との間にも、クリアランスが設けられている。
【００１９】
次に、このように構成された本実施形態における携帯電話１の作用について説明する。
使用者は、第１の筐体１０と第２の筐体２０とを閉じた状態で、携帯電話１を携行する。一方、通話やメールなどの機能を利用する場合には、使用者は、第１の筐体１０と第２の筐体２０とを相互に開いた状態で、表示部６に表示される文字などを確認しながら操作部７を操作する。これにより、メールの送受信や通話などが行われる。
【００２０】
ここで、従来では、スクリーン部２の変形量が、第１の筐体１０の変形量よりも大きくなってしまい、第１の筐体１０に対してスクリーン部２が変形してしまう場合があった。
本実施形態においては、スクリーン部２の突起部９が凹部５の枠に当接し、基端辺２ｃと枠との間にクリアランスが設けられていることから、スクリーン部２の基端部が長手方向Ｌ１に膨張しても、その膨張がクリアランスによって許容される。また、このとき、突起部９が、基端辺２ｃのうち、短手方向Ｓの両端部に設けられていることから、スクリーン部２が短手方向Ｓにバランスされながら、安定状態が保たれる。
【００２１】
また、スクリーン部２が片持ち支持されていることから、スクリーン部２の先端部が長手方向Ｌ１に膨張しようとしても、その膨張が許容され、また、仮に先端辺２ａが凹部５の枠に当接したとしても、長手方向Ｌ１に広がろうとする力が短手方向Ｓなどにも分散されていく。そのため、スクリーン部２が長手方向Ｌ１に変形しようとしても、第１の筐体１０に対して、スクリーン部２が厚さ方向外方に湾曲することが防止される。
さらに、スクリーン部２の先端辺２ａとシリコンゴムパッド４の本体部４ａ及び凹部５の枠との間にクリアランスＣ２が設けられていることから、スクリーン部２の長手方向Ｌ１の変形が許容され易くなる。
【００２２】
また、シリコンゴムパッド４のフランジ部４ｂが先端辺２ａを超えて基端部１０ｂ側に延ばされていることから、凹部５の内方の固定ねじ１１などの各種部品が覆われるため、それら各種部品がクリアランスＣ２を介して外方に露出することもない。
【００２３】
以上より、本実施形態における携帯電話１によれば、スクリーン部２の基端部側及び先端部側の長手方向Ｌ１の変形を許容することができ、スクリーン部２の厚さ方向外方への湾曲を防止することができる。
そのため、長期にわたってスクリーン部２を良好に維持することができる。
また、凹部５の内方の固定ねじ１１などの各種部品がフランジ部４ｂによって覆われているため、それら各種部品がクリアランスＣ２を介して外方に露出することを防止することができ、外観を損ねることもない。
【００２４】
また、突起部９が、基端辺２ｃのうち、短手方向Ｓの両端部に設けられていることから、スクリーン部２が変形するときでも、短手方向Ｓにスクリーン部２のバランスを取りながら、安定状態を保持することができる。
また、スクリーン部２に切欠２ｂが形成されており、それら切欠２ｂに本体部４ａが配置されていることから、簡易な構成により、本体部４ａを第１の筐体１０と第２の筐体２０との間のストッパーとして機能させるとともに、スクリーン部２の長手方向Ｌ１の変形を許容することができる。
また、シリコンゴムパッド４が短手方向Ｓの両端部に設けられていることから、重ね合わせ面１０Ａ，１０Ｂ同士の接触を確実に防止することができ、耐久性を向上させることができる。
また、シリコンゴムパッド４のフランジ部４ｂが先端辺２ａを超えて基端部１０ｂ側に延ばされていることから、各種部品が外方に露出することを防止することができる。そのため、携帯電話１の美観を保持することができる。
【００２５】
なお、本発明の技術範囲は上記の実施形態に限定されるものではなく、本発明の趣旨を逸脱しない範囲において、種々の変更を加えることが可能である。
例えば、突起部９を短手方向Ｓの両端部に設けるとしたが、これに限ることはなく、その設置数、設置場所は適宜変更可能である。
また、切欠２ｂを短手方向Ｓの両端部に設けるとしたが、これに限ることはなく、その設置数、設置場所は適宜変更可能である。
また、両面テープ８をスクリーン部２の全周に設けるとしたが、これに限ることはなく、基端部側の取付部分のみに両面テープ８を設けてもよい。
また、本実施形態においては、本発明に係る携帯端末装置として、携帯電話１に適用する例を示したが、これに限ることはなく、例えばＰＤＡ（Personal  Digital  Assistants）等の他の携帯端末装置にも適用できることはいうまでもない。
【図面の簡単な説明】
【００２６】
【図１】本発明に係る携帯端末装置の第１の実施形態を示す全体構成図である。
【図２】図１の第１の筐体を拡大して示す正面図である。
【図３】図１のスクリーン部を示す説明図である。
【図４】図３のスクリーン部の裏面側を示す正面図である。
【図５】図２のＡ−Ａ線矢視断面図である。
【図６】従来の携帯電話の第１の筐体を示す正面図である。
【図７】図６のＢ−Ｂ線矢視断面図である。
【符号の説明】
【００２７】
１    携帯電話（携帯端末装置）
２    スクリーン部
２ｂ  切欠
２ｃ  基端辺
４    シリコンゴムパッド（保護部材）
４ｂ  フランジ部
５    凹部
６    表示部
９    突起部
１０  第１の筐体
１０Ａ  重ね合わせ面
１０ｂ  基端部
２０  第２の筐体
３０  連結部（ヒンジ部）
【図１】
2009265228.tif 000003
【図２】
2009265228.tif 000004
【図３】
2009265228.tif 000005
【図４】
2009265228.tif 000006
【図５】
2009265228.tif 000007
【図６】
2009265228.tif 000008
【図７】
2009265228.tif 000009